(57)【要約】【課題】シャッター開放動作時におけるファインダ侵入光束の撮影光束への進入を効果的に防止できるＡＦ一眼レフカメラのミラー機構を提供する。【解決手段】サブミラー装置３８、４０とは別に、該サブミラー装置と連動して動作する補助遮光部材４２を設け、メインミラー装置が撮影位置にあるとき、サブミラー装置と補助遮光部材とによって上記メインミラー裏面を遮光する。【選択図】図１
2009192595.tif 000002
【特許請求の範囲】
【請求項１】
開口部を有するメインミラー支持枠、及び、該開口部を塞ぐ態様でメインミラー支持枠に支持されたハーフミラーからなるメインミラーを有し、かつ、該メインミラーが撮影光束を反射してファインダ光学系に導く観察位置と、該撮影光束と干渉しない撮影位置との間を移動可能なメインミラー装置と、
このメインミラー装置が上記観察位置にあるとき、上記メインミラーを透過した上記撮影光束の一部をＡＦ測距用受光素子に向けて反射するサブミラー装置と、を有するＡＦ一眼レフカメラのミラー機構において、
上記サブミラー装置とは別に、該サブミラー装置と連動して動作する補助遮光部材を設け、上記メインミラー装置が上記撮影位置にあるとき、上記サブミラー装置と上記補助遮光部材とによって上記メインミラー裏面を遮光し、上記ファインダ光学系からの光束が上記メインミラー及び上記開口部を介して上記撮影光束に進入するのを防ぐことを特徴とするＡＦ一眼レフカメラのミラー機構。
【請求項２】
請求項１記載のＡＦ一眼レフカメラのミラー機構において、
上記サブミラー装置が、その一端が、上記メインミラー支持枠にカメラの幅方向に延びる軸回りに回転可能として枢着されたサブミラー支持枠と、該サブミラー支持枠に支持され、撮影光束を上記ＡＦ測距用受光素子に向けて反射するサブミラーと、を備えるＡＦ一眼レフカメラのミラー機構。
【請求項３】
請求項１または２記載のＡＦ一眼レフカメラのミラー機構において、
上記補助遮光部材と上記サブミラー装置の後端部同士が、カメラの幅方向に延びる軸回りに回転可能として枢着され、上記メインミラー装置が上記観察位置にあるとき、該補助遮光部材全体が結像面より被写体側に位置するＡＦ一眼レフカメラのミラー機構。
【請求項４】
請求項１から３のいずれか１項記載のＡＦ一眼レフカメラのミラー機構において、
リンク部材の一端を、上記補助遮光部材に上記軸と平行な軸回りに回転可能に枢着し、該リンク部材の他端を、上記メインミラー支持枠に上記軸と平行な軸回りに回転可能に枢着したＡＦ一眼レフカメラのミラー機構。
【発明の詳細な説明】
【技術分野】
【０００１】
本発明は、ＡＦ一眼レフカメラのミラー機構に関する。
【背景技術】
【０００２】
ＡＦ一眼レフカメラのミラー機構の従来技術として互いに連動して動くメインミラー装置とサブミラー装置とを具備するものが知られている。メインミラー装置は、中央部に開口部を備える非透光性材料製のミラー支持枠と、該開口部を塞ぐ態様でミラー支持枠に支持したハーフミラーからなるメインミラーと、を備えている。一方、サブミラー装置は、非透光性材料製のサブミラー支持枠と、サブミラー支持枠で支持したサブミラーと、を備えている。
シャッターの非作動時には、メインミラーが撮影レンズを通って結像面に向かう撮影光束と干渉して、該撮影光束の一部をファインダ光学系に向けて反射し、メインミラーを透過した残りの撮影光束が上記開口部を透過する。一方、サブミラーは上記開口部を透過した上記一部の撮影光束をＡＦ測距用受光素子に向けて反射する。
上記シャッターが作動して開くと、メインミラー装置は一時的にファインダ光学系側に退避して上記撮影光束と干渉しなくなり、サブミラーは上記開口部を塞ぐ位置に移動する。
【非特許文献１】発行国：日本、刊行物名：写真工業８２、発行所：株式会社写真工業出版社、発行年月日：昭和５７年２月１日、号数：２月号、ページ：  第７２ページ
【発明の開示】
【発明が解決しようとする課題】
【０００３】
近年、ＡＦの測距範囲の拡大に伴いメインミラー装置の上記開口部が大型化しているため、シャッターが開いたときにファインダ侵入光束が撮影光束側に向かうのを完全に防止するためにはサブミラー支持枠を大型化する必要がある。
【０００４】
しかし、サブミラー支持枠を大型化すると、シャッターの非作動状態においてサブミラー支持枠が、カメラボディ内に配設されたサブミラーより結像面側に位置する他の部材（例えば、シャッター幕）と干渉するおそれが出てくるが、これらの部材を大型化するのは難しいためサブミラーの大型化には限界があった。さらに、デジタルカメラにおいては、ミラー機構より被写体側に位置するシャッター（シャッター幕）を、ミラー機構より結像面側に位置するローパスフィルタや撮像素子に近づけて配置する傾向があるため、ミラー機構に与えられる光軸方向のスペースは小さく、そのため上記のような問題がより起こりやすい。
【０００５】
本発明の目的は、サブミラー支持枠を大型化させることなく、シャッター開放動作時におけるファインダ侵入光束の撮影光束への進入を効果的に防止できるＡＦ一眼レフカメラのミラー機構を提供することにある。
【課題を解決するための手段】
【０００６】
本発明のＡＦ一眼レフカメラのミラー機構は、開口部を有するメインミラー支持枠、及び、該開口部を塞ぐ態様でメインミラー支持枠に支持されたハーフミラーからなるメインミラーを有し、かつ、該メインミラーが撮影光束を反射してファインダ光学系に導く観察位置と、該撮影光束と干渉しない撮影位置との間を移動可能なメインミラー装置と、このメインミラー装置が上記観察位置にあるとき、上記メインミラーを透過した上記撮影光束の一部をＡＦ測距用受光素子に向けて反射するサブミラー装置と、を有するＡＦ一眼レフカメラのミラー機構において、上記サブミラー装置とは別に、該サブミラー装置と連動して動作する補助遮光部材を設け、上記メインミラー装置が上記撮影位置にあるとき、上記サブミラー装置と上記補助遮光部材とによって上記メインミラー裏面を遮光し、上記ファインダ光学系からの光束が上記メインミラー及び上記開口部を介して上記撮影光束に進入するのを防ぐことを特徴としている。
【０００７】
上記サブミラー装置が、その一端が、上記メインミラー支持枠にカメラの幅方向に延びる軸回りに回転可能として枢着されたサブミラー支持枠と、該サブミラー支持枠に支持され、撮影光束を上記ＡＦ測距用受光素子に向けて反射するサブミラーと、を備えるのが実際的である。
【０００８】
上記補助遮光部材と上記サブミラー装置の後端部同士が、カメラの幅方向に延びる軸回りに回転可能として枢着され、上記メインミラー装置が上記観察位置にあるとき、該補助遮光部材全体が結像面より被写体側に位置するのが好ましい。
【０００９】
リンク部材の一端を、上記補助遮光部材に上記軸と平行な軸回りに回転可能に枢着し、該リンク部材の他端を、上記メインミラー支持枠に上記軸と平行な軸回りに回転可能に枢着してもよい。
【発明の効果】
【００１０】
本発明によると、サブミラー装置を大型化させることなく、シャッター開放動作時におけるファインダ侵入光束の撮影光束への進入を効果的に防止できるＡＦ一眼レフカメラのミラー機構が得られる。
【発明を実施するための最良の形態】
【００１１】
以下、添付図面に基づいて、本発明の一実施形態を説明する。なお、以下の説明の方向は図１を基準としており、図１の左側（被写体側）を「前方」とし、右側（結像面側）を「後方」とし、上下は図１の通りとする。左右はカメラ（デジタルカメラ）を正面から見たときの左右方向とする。
図１は、ＡＦ一眼レフ式デジタルカメラのカメラボディ（図示略）内に配設されたミラー機構２０と、その周辺部材を示している。図１に示すように、カメラボディ内には箱形形状の金属製のミラーボックス１０が配設されており、ミラーボックス１０の天井板１１には開口１２が穿設されており、ミラーボックス１０の底板１３には開口１２より小寸の開口１４が穿設されている。さらに、その前板１５には開口１６が穿設されている。前板１５の前方には図示を省略した撮影レンズが配設されており、この撮影レンズの光軸ＯＡは開口１６の中心軸Ａと一致している。図１に示すように、開口１２の上方には光学素子からなるファインダ光学系Ｌ１（仮想線参照）が配設されており、カメラボディの背面の上部には、このファインダ光学系Ｌ１と対向するファインダ窓Ｆ（仮想線参照）が設けられている。ファインダ光学系Ｌ１とファインダ窓Ｆはファインダの構成要素である。
【００１２】
ミラーボックス１０の左右の側板１７（図１及び図２参照。これらの図面では一方の側板のみ図示）と前板１５と天井板１１と底板１３とで囲まれた空間は、ミラー機構２０を配設するための空間となっており、ミラーボックス１０の背面には開口１８が設けられている。ミラーボックス１０の背面には、中空のシャッターケース１９が固着されており、シャッターケース１９の前板１９ａと後板１９ｂには、共に開口１８より小さく互いに同心をなす開口１９ａ１、１９ｂ１がそれぞれ穿設されている。そして、前板１９ａと後板１９ｂの間には公知のシャッター幕（シャッター）Ｓが配設されている。このシャッター幕Ｓは複数の板からなるものであり、各板の左右の一方の端部が後板１９ｂに支持してある。周知のように、シャッター幕Ｓには、シャッター幕Ｓを全開方向に付勢するばね手段が掛けられており、常時は図示を省略したストッパによって、シャッター幕Ｓは図１に示す全閉状態に保持されている。カメラボディに設けたシャッターボタン（図示略）を押すと、シャッターボタンの動きに連動して上記ストッパによるシャッター幕の係止が解除され、上記ばね手段の付勢力によってシャッター幕Ｓが全開する。そして一定時間経過後に、カメラボディ内に設けたＣＰＵ（制御手段）からシャッター駆動用モータ（図示略）に回転信号が送られ、このシャッター駆動用モータの回転力によってシャッター幕Ｓが全閉状態に復帰し、ストッパがシャッター幕Ｓを全閉状態に保持する。
【００１３】
図示は省略してあるが、シャッター幕Ｓの後方には撮像素子の撮像面（結像面）が位置している。
開口１４の直下には、複数のレンズＬ２を備えるＡＦ測距用受光素子Ｂが配設されている。このＡＦ測距用受光素子Ｂは公知のＡＦ測距手段の構成要素の一つであり、ＡＦ測距用受光素子Ｂが受光すると、このＡＦ測距手段が測距を行う。
【００１４】
次に、主に図２〜図１１を用いて、ミラー機構２０を詳しく説明する。なお、図５〜図１０では、一部のリンク部材の図示を省略している。
左右一対のリンク部材２１の側板１７との対向面の一端には、左右方向（ＡＦ一眼レフカメラの幅方向）に延びる枢着ピン２２が突設されており、左右の枢着ピン２２は左右の側板１７にそれぞれの軸心回りに回転可能に支持されている。左右のリンク部材２１の他端には、メインミラー支持枠２３の左右両側部から延出する突片２４が、左右方向に延びる枢着ピン２５によって枢着ピン２５回りに回転可能に支持されている。図１、図６、図８、図９、及び図１０に示すように、非透光性材料製のメインミラー支持枠２３の正面には方形の凹部が形成されており、この凹部の略中央部の底面に開口２６が設けられている。この凹部には該凹部と略同形状で全面がハーフミラーとなっているメインミラー２７が嵌合固定されている（このメインミラー支持枠２３とメインミラー２７によってメインミラー装置が構成されている）。メインミラー支持枠２３の左右両側部の後端に突設された左右一対の突片２８には、左右一対のリンク部材２９の一端が、それぞれ左右方向に延びる枢着ピン３０によって、枢着ピン３０回りに回転可能として枢着されている。左右のリンク部材２９の側板１７との対向面の他端には、左右方向外向きの枢着ピン３１が突設されており、両枢着ピン３１はそれぞれ左右の側板１７にその軸心回りに回転可能に支持されている。メインミラー支持枠２３の左側にはリンク部材３３が位置しており、リンク部材３３の一端は左右方向に延びる枢着ピン３４を介してメインミラー支持枠２３の左側に位置するリンク部材３５の一端に回転可能として枢着されている。このリンク部材３５の他端には支持孔３６が穿設されており、左右の支持孔３６に、左側の側板１７から右側に突出する支持ピン３７（図１から図３参照）が嵌合することにより、リンク部材３５が左側の側板１７に支持ピン３７回りに回転可能に支持されている。
【００１５】
メインミラー支持枠２３の直下には非透光性材料製のサブミラー支持枠３８が位置しており、サブミラー支持枠３８の左側部の後端部にはリンク部材３３の他端（枢着ピン３４と反対側の端部）が相対移動不能に固定されており、サブミラー支持枠３８とリンク部材３３の接続部が左右方向に延びる枢着ピン３２によってメインミラー支持枠２３の左側部に枢着ピン３２回りに回転可能に取り付けられている。図５及び図６に示すように、このサブミラー支持枠３８の前面にはサブミラー支持枠３８より小寸のサブミラー４０が接着固定されている（このサブミラー支持枠３８とサブミラー４０によってサブミラー装置が構成されている）。サブミラー支持枠３８の左右両側面の下端部（後端部）には、左右方向に延びる枢着ピン４１によって、左右方向に延びる補助遮光部材４２の後端部に突設された左右一対の突片４３が、それぞれ左右方向の軸回りに回転可能に支持されている。さらに、補助遮光部材４２の左右両側面の前端部には、左右方向に延びる枢着ピン４４によって、左右一対のリンク部材４５の下端部がそれぞれ、枢着ピン４４回りに回転可能に支持されている。この左右のリンク部材４５の上端部はそれぞれ、メインミラー支持枠２３の左右両側部に、左右方向に延びる枢着ピン４６によって、枢着ピン４６回りに回転可能に支持されている。
このように、枢着ピン３２、枢着ピン４１、枢着ピン４４、枢着ピン４６、メインミラー支持枠２３、サブミラー支持枠３８、補助遮光部材４２、及びリンク部材４５によって４節リンク機構が構成されている。
【００１６】
図示は省略してあるが、左側（または右側の）枢着ピン２２は、左側（または右側）の側板１７を貫通して、側板１７の左側（または右側）に突出しており、この枢着ピン２２の先端にはピニオンギヤが固着されている。そして、このピニオンギヤは、ギヤ列を介して、カメラボディ内に設けられたミラー駆動用モータの出力軸に固着されたピニオンギヤと連係している。さらに、ミラー駆動用モータは上記ＣＰＵと電気的に接続しており、ＣＰＵがミラー駆動用モータに信号を送るとミラー駆動用モータが回転し、上記枢着ピン２２が回転する。
【００１７】
以上のような構成からなるミラー機構２０を備えるＡＦ一眼レフカメラは、以下のように作動する。
カメラボディに設けたシャッターボタンを押していない状態では、ミラー機構２０は図１、図２、図５及び図８に示す初期状態にあり、メインミラー支持枠２３及びメインミラー２７が、撮影レンズを透過して結像面に向かう撮影光束Ｏ内に位置している（図１及び図２参照。このときのメインミラー２７の位置が観察位置）。図１に示すように、この撮影光束Ｏの一部はメインミラー２７によって上向きに反射され、開口１２を通してファインダ光学系Ｌ１に導かれる。一方、撮影光束Ｏの残り部分は、ハーフミラーからなるメインミラー２７及び開口部２６を透過して、サブミラー４０によって下向きに反射され、開口１４を通ってＡＦ測距用受光素子Ｂで受光される。このようにミラー機構２０が初期状態にあるとき、撮影光束Ｏはシャッター幕Ｓには到達しない。
【００１８】
この状態でシャッターボタンを全押しすると、上記ＣＰＵがこれを検知して上記ミラー駆動用モータに回転信号を送る。信号を受けたミラー駆動用モータは正転し、枢着ピン２２を図２〜図４の反時計方向に回転させる。すると、図３、図６及び図９に示すように、リンク部材２１が枢着ピン２２を中心に反時計方向に回転し、側面視で略直線上に並んでいたリンク部材３３とリンク部材３５が略Ｖ字形となる。サブミラー支持枠３８とリンク部材４５は、それぞれ枢着ピン３２と枢着ピン４６を中心に時計方向に回転し、リンク部材２９は枢着ピン３１を中心に反時計方向に回転する。
【００１９】
ミラー駆動用モータがさらに正転し続けると、ミラー機構２０は図４、図７及び図１０に示す跳ね上げ状態となり、図４に示すように、メインミラー支持枠２３、メインミラー２７、サブミラー支持枠３８、サブミラー４０及び補助遮光部材４２はいずれも撮影光束Ｏから退避して、ファインダ光学系Ｌ１の直下に位置する（このときのメインミラー２７の位置が撮影位置）。従って、撮影光束Ｏは開口１９ａ１を通してシャッター幕Ｓに到達する。
このとき図４及び図７に示すように、サブミラー支持枠３８はメインミラー支持枠２３と略平行をなしながら、メインミラー２７の直下に位置する。さらに、補助遮光部材４２がサブミラー支持枠３８と側面視で略一直線をなし、サブミラー４０の直前に位置する補助遮光部材４２が、メインミラー２７の直下に位置する（メインミラー２７と略平行をなす）。
【００２０】
図１１に示すように、このときのミラー機構２０を下方から見ると、メインミラー支持枠２３の開口２６が、サブミラー装置（サブミラー支持枠３８及びサブミラー４０）及び補助遮光部材４２と上下方向に重なる。従って、ＡＦ一眼レフカメラの外部からファインダ窓Ｆを介してカメラボディ内に侵入し、ファインダ光学系Ｌ１とメインミラー２７と開口２６を通って撮影光束Ｏ側に向かう有害なファインダ侵入光束ＦＯ（図１１の斜線部分）がサブミラー装置（サブミラー支持枠３８及びサブミラー４０）と補助遮光部材４２とによって完全に遮光される。具体的には、ファインダ侵入光束ＦＯの前端部を補助遮光部材４２が遮光し、前端部を除く部分をサブミラー装置（サブミラー支持枠３８及びサブミラー４０）が遮光している。
【００２１】
上記のようにシャッターボタンが全押しされると、この動きに連動して上記ストッパがシャッター幕Ｓの係止を解除し、上記ばね手段の付勢力によってシャッター幕Ｓが全開する。従って、ミラー機構２０が図４、図７及び図１０に示す跳ね上げ状態となり、ファインダ侵入光束ＦＯの撮影光束Ｏへの進入が完全に防止される状態のときに、撮影光束Ｏがシャッターケース１９の開口１９ａ１と開口１９ｂ１を通過し、上記撮像素子の撮像面が撮像を行なう。シャッター幕Ｓが全開してから所定時間経過すると、上記ＣＰＵがシャッター駆動用モータに信号を送り、シャッター駆動用モータを回転させ、シャッター幕Ｓを全閉状態に復帰させる。さらに、シャッター幕Ｓが全閉した後に、上記ＣＰＵから上記ミラー駆動用モータに回転信号が送られ、ミラー駆動用モータが逆転する。すると、ミラー機構２０は上記動作と逆の動作をし、ミラー機構２０は図１、図２、図５及び図８に示す初期状態に復帰する。
【００２２】
以上説明したように本実施形態によれば、シャッター作動時にサブミラー装置（サブミラー支持枠３８及びサブミラー４０）と補助遮光部材４２によってファインダ侵入光束ＦＯの撮影光束Ｏへの進入が完全に防止される。さらに、図１〜図４及び図１１に示すように、サブミラー装置と補助遮光部材４２によってファインダ侵入光束ＦＯの撮影光束Ｏへの進入を防止しているので、従来のように、単独でファインダ侵入光束ＦＯの撮影光束Ｏへの進入を防止できるサブミラー装置（サブミラー支持枠３８と補助遮光部材４２を足した寸法のサブミラー装置。図示略）のみで遮光する場合に比べて、サブミラー装置の前後方向寸法を短くできる。しかも、図１〜図４に示すように、ミラー駆動機構２０がいかなる状態にあっても常に、補助遮光部材４２全体がシャッター幕Ｓより被写体側に位置するので、補助遮光部材４２がミラー機構２０の後方に位置する部材（例えば、シャッター幕Ｓに）に接触するおそれはない。また、ミラーボックス１０を大型化させなくても、補助遮光部材４２がミラーボックス１０に接触するおそれもないので、ミラーボックス１０を大型化させる必要がない。
【００２３】
なお、本実施形態はデジタル式のＡＦ一眼レフカメラに本発明を適用したものであるが、上記撮像素子をフィルム（この場合は、そのフィルム面が結像面となる）に代えることにより、銀塩式のＡＦ一眼レフカメラに適用できることは勿論である。また、シャッターがいわゆるレンズシャッターであり、撮像素子やフィルムの遮光を考慮する必要がない場合は、シャッターをミラー機構２０より被写体側に配置してもよい。さらに、ミラー機構２０を構成するリンク機構（４節リンク機構）は、上記構成のものには限られず、他の構成であってもよい。
【図面の簡単な説明】
【００２４】
【図１】本発明の一実施形態であるＡＦ一眼レフカメラのミラー機構と、その周辺部材の側面図である。
【図２】ミラー機構の、シャッター非作動時の側面図である。
【図３】ミラー機構の、シャッター作動直後の側面図である。
【図４】ミラー機構の、移動完了時における側面図である。
【図５】ミラー機構の、シャッター非作動時の下方から見た斜視図である。
【図６】ミラー機構の、シャッター作動直後の下方から見た斜視図である。
【図７】ミラー機構の、移動完了時における下方から見た斜視図。
【図８】ミラー機構の、シャッター非作動時の上方から見た斜視図である。
【図９】ミラー機構の、シャッター作動直後の上方から見た斜視図である。
【図１０】ミラー機構の、移動完了時における上方から見た斜視図。
【図１１】ミラー機構の移動完了時におけるメインミラーとサブミラー及び補助遮光部材の位置関係を示すための底面図である。
【符号の説明】
【００２５】
１０    ミラーボックス
１１    天井板
１２    開口
１３    底板
１４    開口
１５    前板
１６    開口
１７    側板
１８    開口
１９    シャッターケース
１９ａ  前板
１９ｂ  後板
１９ａ１  １９ｂ１  開口
２０    ミラー機構
２１    リンク部材
２２    枢着ピン
２３    メインミラー支持枠（メインミラー装置）
２４    突片
２５    枢着ピン
２６    開口
２７    メインミラー（メインミラー装置）
２８    突片
２９    リンク部材
３０    枢着ピン
３１    枢着ピン
３２    枢着ピン
３３    リンク部材
３４    枢着ピン
３５    リンク部材
３６    支持孔
３７    支持ピン
３８    サブミラー支持枠（サブミラー装置）
４０    サブミラー（サブミラー装置）
４１    枢着ピン
４２    補助遮光部材
４３    突片
４４    枢着ピン
４５    リンク部材
４６    枢着ピン
Ａ      開口１６の中心軸
Ｂ      ＡＦ測距用受光素子
Ｌ１    ファインダ光学系
Ｌ２    レンズ
Ｏ      撮影光束
ＯＡ    光軸
Ｓ      シャッター幕（シャッター）
【図１】
2009192595.tif 000003
【図２】
2009192595.tif 000004
【図３】
2009192595.tif 000005
【図４】
2009192595.tif 000006
【図５】
2009192595.tif 000007
【図６】
2009192595.tif 000008
【図７】
2009192595.tif 000009
【図８】
2009192595.tif 000010
【図９】
2009192595.tif 000011
【図１０】
2009192595.tif 000012
【図１１】
2009192595.tif 000013